(57)【要約】【課題】  設置条件を問わず多数の誘導灯の容易且つ的確な点検を行うことができる誘導灯システムを提供する。【解決手段】  誘導用のランプ、非常用電源、誘導灯制御手段、誘導灯側送受信手段を有する誘導灯と、リモコン側送受信手段、表示手段、リモコン制御手段を有する誘導灯用リモコンとを備え、この誘導灯用リモコンには、コンピューターにケーブルを介して信号を送信するための接続部を設けたもので、コンピューターによって各誘導灯毎の点検項目を管理することができる。このため、複数の誘導灯が設置されている大型のビルなどにおいても、どの誘導灯がどういう状態であるか容易に管理することができる。【選択図】図２
2005285444.tif 000002
【特許請求の範囲】
【請求項１】
誘導用のランプ、非常用電源、平常時には商用電源から電力を供給して前記ランプを点灯させ、前記商用電源からの電力供給が断たれた場合には前記非常用電源から電力を供給して前記ランプを点灯させる誘導灯制御手段と、無線によるデータの送受信を行うためのものであり、所定の点検指令データを受信した場合、所定の点検項目を含む機器状態データを、自らの識別コードと共に前記誘導灯側送受信手段より送信する誘導灯側送受信手段を有する誘導灯と、無線によるデータの送受信を行うためのリモコン側送受信手段、表示手段、リモコン制御手段を有する誘導灯用リモコンとを備え、この誘導灯用リモコンには、コンピューターにケーブルを介して信号を送信するための接続部を設けたことを特徴とする誘導灯システム。
【請求項２】
前記誘導灯用リモコンに、コンピューターに無線で信号を送信するための送信部を備えたことを特徴とする請求項１に記載の誘導灯システム。
【請求項３】
前記リモコンは、自動検知の項目以外の作業員が目視にて検査する必要のある項目について予め表示する機能を有し、前記リモコンを、その表示された作業員の検査項目について、作業員自らが入力可能に構成したことを特徴とする請求項１または２に記載の誘導灯システム。
【請求項４】
前記リモコンは、自動検知の項目以外の作業員が目視にて検査する必要のある項目について予め表示する機能、及びその項目の検査結果の選択肢を表示する機能を有し、前記リモコンを、この選択肢から検査結果を選択入力可能に構成したことを特徴とする請求項１または２に記載の誘導灯システム。
【請求項５】
前記コンピューターを、前記自動検知の検知結果と、自動検知以外の作業員が目視にて検査する必要のある項目の入力結果とを、識別コード毎にまとめ、出力な可能に構成したことを特徴とする請求項１乃至４の何れかに記載の誘導灯システム。
【発明の詳細な説明】
【技術分野】
【０００１】
本発明は、例えば、ビルの通路や室内に配置されて火災などの非常時にビル内の人間を非常口に誘導するための誘導灯システムに関するものである。
【背景技術】
【０００２】
従来より誘導灯を点検する際には、ビルなどに設置された複数の誘導灯それぞれに手動式のスイッチを設けておき、このスイッチを操作（押す、或いは、引く）することで作為的に電源遮断を行って誘導用のランプを点灯させ、このときの点灯結果で当該誘導灯の動作確認を行っていた（例えば、特許文献１参照）。
【特許文献１】特開平８−１８５９８７号公報
【発明の開示】
【発明が解決しようとする課題】
【０００３】
しかしながら、係る誘導灯の点検方法では、設置場所が高所であるときなど、設置条件によっては点検作業が極めて困難となる場合があった。
【０００４】
本発明は、係る従来の技術的課題を解決するために成されたものであり、設置条件を問わず多数の誘導灯の容易且つ的確な点検を行うことができる誘導灯システムを提供するものである。
【課題を解決するための手段】
【０００５】
請求項１の発明は、誘導用のランプ、非常用電源、平常時には商用電源から電力を供給して前記ランプを点灯させ、前記商用電源からの電力供給が断たれた場合には前記非常用電源から電力を供給して前記ランプを点灯させる誘導灯制御手段と、無線によるデータの送受信を行うためのものであり、所定の点検指令データを受信した場合、所定の点検項目を含む機器状態データを、自らの識別コードと共に前記誘導灯側送受信手段より送信する誘導灯側送受信手段を有する誘導灯と、無線によるデータの送受信を行うためのリモコン側送受信手段、表示手段、リモコン制御手段とを有する誘導灯用リモコンとを備え、この誘導灯用リモコンには、コンピューターにケーブルを介して信号を送信するための接続部を設けたものである。
【０００６】
請求項２の発明は、前記誘導灯用リモコンに、コンピューターに無線で信号を送信するための送信部を備えたものである。
【０００７】
請求項３の発明は、前記リモコンを、自動検知の項目以外の作業員が目視にて検査する必要のある項目について予め表示する機能を備え、その表示された作業員の検査項目について、作業員自らが入力可能に構成したものである。
【０００８】
請求項４の発明は、前記リモコンを、自動検知の項目以外の作業員が目視にて検査する必要のある項目について予め表示する機能、及びその項目の検査結果の選択肢を表示する機能を備え、この選択肢から検査結果を選択入力可能に構成したものである。
【０００９】
請求項５の発明は、前記コンピューターを、前記自動検知の検知結果と、自動検知以外の作業員が目視にて検査する必要のある項目の入力結果とを、識別コード毎にまとめ、出力な可能に構成したものである。
【発明の効果】
【００１０】
請求項１に記載の発明によれば、誘導灯用リモコンに、コンピューターにケーブルを介して信号を送信するための接続部を設けたので、コンピューターによって各誘導灯毎の点検項目を管理することができる。このため、複数の誘導灯が設置されている大型のビルなどにおいても、どの誘導灯がどういう状態であるか容易に管理することができる。
【００１１】
また、請求項２に記載の発明によれば、誘導灯用リモコンに、コンピューターに無線で信号を送信するための送信部を備えたので、煩雑なケーブル接続の手間を軽減することができる。
【００１２】
また、請求項３の発明によれば、リモコンに、自動検知の項目以外の作業員が目視にて検査する必要のある項目について予め表示する機能を備え、リモコンを、その表示された作業員の検査項目について、作業員自らが入力可能に構成したので、検査項目のチェック漏れを軽減することができる。
【００１３】
また、請求項４の発明によれば、リモコンに、自動検知の項目以外の作業員が目視にて検査する必要のある項目について予め表示する機能、及びその項目の検査結果の選択肢を表示する機能を備え、リモコンを、この選択肢から検査結果を選択入力可能に構成したので、検査結果の入力作業を大幅に軽減できる。
【００１４】
また、請求項５の発明によれば、コンピューターを、自動検知の検知結果と、自動検知以外の作業員が目視にて検査する必要のある項目の入力結果とを、識別コード毎にまとめ、出力な可能に構成したので、検査結果及び入力結果を出力し、管理に役立てることができる。
【発明を実施するための最良の形態】
【００１５】
以下、図面に基づき本発明の実施形態を詳述する。図１は本発明の一実施例として誘導灯１と当該誘導灯用のリモコン２とから構築される誘導灯システム３の外観を示す図、図２は誘導灯１とリモコン２間のデータ送受信に関する誘導灯システム３のブロック図、図３は誘導灯１の電気回路のブロック図をそれぞれ示している。各図において、誘導灯１はビルの通路や室内に複数設置されて火災などの非常時における避難誘導を行うためのものである。
【００１６】
この誘導灯１には図３に示すように冷陰極ランプから成るランプ４と、このランプ４を点灯させるための誘導灯制御手段を構成する制御回路６などの電気回路が設けられている。図３において、５は商用電源ＡＣ（ＡＣ１００Ｖ）に接続されたフィルター回路、７はこのフィルター回路５を経た商用電源を整流する整流回路、８はＡＣ／ＤＣ変換回路、９は２次整流回路、１１はインバータ回路であり、このインバータ回路１１に前記ランプ４が接続されている。
【００１７】
ＡＣ／ＤＣ変換回路８の出力は非常用電源である電池を含む充電回路１２に接続され、この充電回路１２には常時充電が行われる。この充電回路１２の出力は切替回路１３を介してインバータ回路１１に接続されている。２次整流回路９及び切替回路１３の出力点はフィルター回路１９を介して制御回路６に接続されている。この制御回路６はマイクロコンピュータ（ＣＰＵ）から構成され、自らに割り当てられた識別コードを保有すると共に、インバータ回路１１のＯＮ／ＯＦＦ、商用電源ＡＣの電圧有無検出、ＤＣ電圧検出、ランプ接続有無検出、ランプ寿命、切替制御、タイマー通信、デューティー制御、電池過放電防止、暗黒始動対応の各機能を実行するものである。
【００１８】
１４はテストスイッチであり、制御回路１６を介してＡＣ／ＤＣ変換回路８の出力に接続されている。この制御回路１６もマイクロコンピュータから構成され、ＰＷＭ制御、ＡＣ切替動作、テストスイッチ１４による制御、過電流保護、過電圧保護の各機能を実行する。尚、１７は消灯回路であり、商用電源ＡＣに接続された消灯スイッチ１８とフィルター回路５の出力間に接続されている。
【００１９】
商用電源ＡＣの電圧がある場合、この商用電源ＡＣが整流された電圧はＡＣ／ＤＣ変換回路８から２次整流回路９を経て充電回路１２に充電される。停電によって商用電源ＡＣが断たれると、制御回路６は充電回路１２に充電された電力を切替回路１３を介してインバータ回路１１に印加する。そして、インバータ回路１１により所定のデューティーにてランプ４に点灯用の電圧を印加し、ランプ４を点灯させて誘導案内を行うものである。
【００２０】
次に、図２において６は前述した誘導灯１の制御回路である。２１は受光ユニットであり、後述するリモコン２のＬＥＤ３９からの赤外線を受光する。この受光ユニット２１の出力がデコーダ２２及び波形整形回路２３を介して制御回路６に入力されている。また、制御回路６にはエンコーダ２４とバッファ２６を介して赤外線を発光するＬＥＤ２７が接続されている。これらが誘導灯１の誘導灯側送受信手段を構成する。尚、２８はランプ４の寿命などを点灯表示するためのランプモニターであり、２９は充電回路１２の異常を点滅表示するための充電モニターである。
【００２１】
一方、３１はリモコン２のリモコン制御手段を構成するマイクロコンピュータ（ＣＰＵ）から成る制御回路であり、保守・点検の対象となる複数台の誘導灯１にそれぞれ割り当てられた前記識別コードを保有すると共に、マイクロコンピュータ３１には液晶からなる表示手段としての表示部３２が接続されている。また、３３は受光ユニットであり、誘導灯１の前記ＬＥＤ２７からの赤外線を受光する。この受光ユニット３３の出力がデコーダ３４及び波形整形回路３６を介して制御回路３１に入力されている。また、制御回路３１にはエンコーダ３７とバッファ３８を介して赤外線を発光するＬＥＤ３９が接続されている。これらがリモコン２のリモコン側送受信手段を構成する。
【００２２】
リモコン２にはまた、半導体メモリカードＭＣが着脱自在に挿入されるスロット（メモリーカード用Ｉ／Ｏ）４１が設けられており、制御回路３１に接続されている。尚、リモコン２は携帯容易な寸法を呈し、図１の如く表示部３２に並んで点検スイッチ４２の他、入力手段を構成する各種スイッチ４３や駆動用のバッテリー（電池など）も取り付けられている。リモコン２では誘導灯１との間のデータの送受信の他、リモコン２において入力
する事項、即ち、目視で確認できる誘導灯１の状態などのをこのスイッチ４３と表示部３２を用いて入力できる構成とされている。
【００２３】
以上の構成で、誘導灯１の点検作業について図４を参照しながら説明する。作業者が或る誘導灯１の点検作業を行う場合には、当該誘導灯１の受光ユニット２１に図１の如くリモコン２のＬＥＤ３９を向け、点検スイッチ４２を押す。点検スイッチ４２が押されると、リモコン２の制御回路３１は所定の点検指令データをエンコーダ３７に出力する。エンコーダ３７ではこの点検指令データのエンコードが行われ、エンコードされた信号（点検スイッチＯＮ信号）がバッファ３８を介してＬＥＤ３９に送られる。そして、ＬＥＤ３９が赤外線に載せてこの点検スイッチＯＮ信号を出力する。
【００２４】
リモコン２からの点検スイッチＯＮ信号は前記誘導灯１の受光ユニット２１に受光される。受光された点検スイッチＯＮ信号はデコーダ２２にてデコードされ、波形整形回路２３で波形整形された後、制御回路６に入力される。図４はこの制御回路６の点検動作に関するプログラムのフローチャートを示している。制御回路６は図４のステップＳ１で点検スイッチＯＮ信号があったか否か判断しており、波形整形回路２３から上述の如く点検スイッチＯＮ信号を入力すると、ステップＳ１からステップＳ２に進んで自己点検を開始し、ステップＳ３で自己点検処理を実行する。
【００２５】
このステップＳ３における自己点検処理で、制御回路６は擬似的にテストスイッチ１４が操作された状態を作り、商用電源ＡＣを断って充電回路１２からの放電によりランプ４が点灯するか否かを点検する。また、充電回路１２の電池放電時間が基準時間以上であるか、充電回路１２の電池の基準電圧で基準以上の照度がランプ４で得られるか（ランプ４の状態）などを点検する。そして、これらの自己点検が終了すると、ステップＳ４からステップＳ５に進む。
【００２６】
ステップＳ５で制御回路６は、上記点検結果並びにランプ４の点灯累計時間（累積使用期間）、充電回路１２の電池の状態（非常用電源の状態）に関する機器状態データを生成し、自らの識別コードと共にエンコーダ２４に出力する。尚、この識別コードのデータには自己の製造年月日や固有ナンバーなども付加されている。エンコーダ２４ではこの機器状態データ並びに識別コードのエンコードが行われ、エンコードされた点検結果信号がバッファ２６を介してＬＥＤ２７に送られる。そして、ＬＥＤ２７が赤外線に載せてこの点検結果信号を出力する（リモコン２へ点検結果送信）。
【００２７】
誘導灯１からの点検結果信号はリモコン２の受光ユニット３３に受光される。受光された点検結果信号はデコーダ３４にてデコードされ、波形整形回路３６で波形整形された後、制御回路３１に入力される。リモコン２の制御回路３１は、誘導灯１からの点検結果信号をデコードした機器状態データと識別コードを取り込み、自ら保有する誘導灯１の識別コードと取り込んだ識別コードとを照合することで、当該誘導灯１を認識する。そして、当該識別コードごとに区別して上記データを保持すると共に、表示部３２に表示する。これによって、リモコン２にて誘導灯１の機器状態を確認することができる。
【００２８】
また、リモコン２の表示部３２には消防点検項目を表示させることができ、この点検項目に合わせて受信した機器状態データは表示される。更に、上述の如くスイッチ４３を用いて目視で得られる点検項目も入力する。このような送受信並びにデータの入力を、設置された各誘導灯１に対してそれぞれ実行する。この場合、各誘導灯１からのデータには識別コードが付加されているので、リモコン２は各誘導灯１のデータをこの識別コードで区別して保有することになる。
【００２９】
このようにリモコン２で受信した各誘導灯１のデータ及び入力したデータは所定の操作
で前記識別コードと共に半導体メモリカードＭＣに書き込むことができる。この半導体メモリーカードＭＣはスロット４１に着脱自在とされているので、これを抜き出し、別途パソコンやサーバなどで構成されるホストコンピュータに読み込ませて集中管理することになる。
【００３０】
このような構成により、本発明では誘導灯１の設置箇所や設置状態を問わず、当該誘導灯１の機器状態データを無線によるデータ送受信にてリモコン２に収集し、保持・表示することができるようになる。特に、誘導灯１は自らの識別コードと共に機器状態データをリモコン２に送信するので、一台のリモコン２によって複数の誘導灯１をそれぞれ点検し、それらの機器状態データを区別して保持・表示することができるようになる。これにより、通常複数設置される誘導灯１の点検作業性を著しく改善しながら、的確な誘導灯点検を実現することができるようになる。
【００３１】
尚、実施例では赤外線を使用してリモコン２と誘導灯１間のデータ送受信を行ったが、それに限らず、電波で行っても良い。但し、実施例の如く赤外線を用いるようにすれば、電波によるデータの送受信に比してノイズによる悪影響を排除した安定的な点検作業を実現できるようになる。
【００３２】
この誘導灯用リモコン２には、コンピューター（前記のパソコン、サーバ、ホストコンピュータなど）にケーブルを介して信号を送信するための接続部（図示せず）を設けている。コンピューターは、例えば、汎用のパーソナルコンピューターが挙げられる。
【００３３】
コンピューター側の接続部は、ＵＳＢ端子やＩＥＥＥ１３９４端子などが設けられていることが多い。このため、リモコン側の接続部もこれら何れかの端子であれば、汎用の接続ケーブルが使用できるので使い勝手が増すが、必ずしもこれに限らず、リモコン側が独特の接続部であってもかまわない。
【００３４】
このように、コンピューターとケーブル接続可能に構成すると、コンピューターによって各誘導灯毎の点検項目を管理することができる。このため、複数の誘導灯が設置されている大型のビルなどにおいても、どの誘導灯がどういう状態であるか容易に管理することができる。
【００３５】
また、誘導灯用リモコン２には、コンピューターに無線で信号を送信するための送信部を備えても構わない。無線信号は、赤外線や、電波（無線ＬＡＮ含む）などが考えられるが、ノイズの影響を考えると赤外線がよりよいと考えられる。しかし、遠方にあるコンピューターの受信部にも送受信できるようにすることを考えると、電波を用いる利点もある。
【００３６】
このように、誘導灯用リモコン２には、コンピューターに無線で信号を送信するための送信部を備えると、煩雑なケーブル接続の手間を軽減することができる。
【００３７】
また、誘導灯用リモコン２を、自動検知の項目以外の作業員が目視にて検査する必要のある項目について予め表示する機能を設け、その表示された作業員の検査項目について、作業員自らが入力可能に構成しても良い。
【００３８】
例えば、目視にて検査する必要のある項目とは、誘導灯の外形（損傷の有無、汚れなど）、誘導灯の表示（表示状態等）、視認障害（障害物の有無）等がある。
【００３９】
このように、作業員自らが入力可能に構成した場合、検査項目の素早いチェックが可能になると共に、チェック漏れを軽減することができる。
【００４０】
尚、誘導灯用リモコン２での入力には、キー操作でも構わないが、ペン入力可能なものでも構わない。
【００４１】
また、誘導灯用リモコン２を、自動検知の項目以外の作業員が目視にて検査する必要のある項目について予め表示する機能、及びその項目の検査結果の選択肢を表示する機能を設け、この選択肢から検査結果を選択入力可能に構成しても構わない。
【００４２】
例えば、リモコンの表示部３２に、「Ｑ．誘導灯の外形は      Ａ．  １．損傷あり、２．損傷なし」と表示されると、作業者は、キー操作等で、該当するものを選んで、入力する。
【００４３】
更に、キー操作を続けると、「Ｑ．視認障害は      Ａ．  １．視認障害なし、２．視認障害あり」と表示され、作業者は、キー操作等で、該当するものを選んで、入力する。以下省略。
【００４４】
このように、該当するものをキー操作等で選択することができるように構成した場合は、より手早く入力でき、検査結果の入力作業を大幅に軽減できる。
【００４５】
また、ソフトウェアを導入することにより、コンピューターを、自動検知の検知結果と、自動検知以外の作業員が目視にて検査する必要のある項目の入力結果とを、識別コード毎にまとめ、出力な可能に構成することも可能である。このように構成した場合、検査結果及び入力結果を出力し、管理に役立てることができる。例えば、点検票を自動作成できるようにすれば、より便利である。尚、出力可能とは、例えば、印刷も含まれるが、コンピューターのディスプレイへの表示も含むものとする。
【図面の簡単な説明】
【００４６】
【図１】本発明の一実施例として誘導灯と当該誘導灯用のリモコンとから構築される誘導灯システムの外観を示す図である。
【図２】図１の誘導灯とリモコン間のデータ送受信に関する誘導灯システムのブロック図である。
【図３】図１の誘導灯の電気回路のブロック図である。
【図４】図１の誘導灯の制御回路のプログラムを示すフローチャートである。
【符号の説明】
【００４７】
１  誘導灯
２  リモコン
３  誘導灯システム
４  ランプ
６、３１  制御回路
１２  充電回路
２１、３３  受光ユニット
２７、３９  ＬＥＤ
３２  表示部
４１  スロット
ＭＣ  半導体メモリカード
【図１】
2005285444.tif 000003
【図２】
2005285444.tif 000004
【図３】
2005285444.tif 000005
【図４】
2005285444.tif 000006